(57)【要約】【課題】羽根室内への磨耗粉の進入を従来よりも好適に防止することができるカメラ用フォーカルプレンシャッタを提供する。【解決手段】シャッタ地板１と中間板との間の羽根室内に配置されている後羽根用アーム１１，１２は、そのシャッタ地板１側の面に対して、長孔１ｃと対向し得る箇所に、粘着性塗料１７を塗布している。シャッタ地板１の羽根室外に取り付けられている各種部材の作動に伴って磨耗粉が発生しても、長孔１ｃを通って羽根室内に進入しようとする磨耗粉を、後羽根用アーム１１，１２の粘着性塗料１７を塗布した面が好適に捕獲し、磨耗粉の羽根室内への進入を従来よりも好適に防止することが可能になる。【選択図】図１
2015210494.tif 000002
【特許請求の範囲】
【請求項１】
被写体光路用の開口部を有しているシャッタ地板と、
被写体光路用の開口部を有していて、前記シャッタ地板と所定の間隔を空けて取り付けられて羽根室を構成している補助地板と、
複数のアームとそれらのアームに枢支された少なくとも一枚の羽根部材とで構成されていて、前記羽根室内に立設されている複数の軸に対してそれらのアームの一端を回転可能に取り付けられて、前記シャッタ地板に形成されている長孔を通して羽根室内まで挿通されている駆動ピンを該アームに嵌合させているシャッタ羽根と、を備えていて、
前記複数のアームには、前記シャッタ地板側の面のうち少なくとも前記長孔と対向し得る箇所に、表面に粘着性を有する粘着手段が設けられていることを特徴とするカメラ用フォーカルプレンシャッタ。
【請求項２】
複数のアームとそれらのアームに枢支された少なくとも一枚の羽根部材とで構成されていて、前記羽根室内において前記シャッタ羽根よりも前記補助地板側に配置されており、前記羽根室内に立設されている複数の軸に対してそれらのアームの一端を回転可能に取り付けられている第２のシャッタ羽根と、を備えていて、
前記第２のシャッタ羽根の複数のアームには、表面に粘着性を有する第２の粘着手段が設けられていることを特徴とする請求項１に記載のカメラ用フォーカルプレンシャッタ。
【請求項３】
前記シャッタ地板の羽根室側とは反対側の面の前記開口部の周囲には、表面に粘着性を有する第３の粘着手段が設けられていることを特徴とする請求項１又は２に記載のカメラ用フォーカルプレンシャッタ。
【請求項４】
請求項１〜３のいずれかに記載のカメラ用フォーカルプレンシャッタを備えていることを特徴とするカメラ。
【発明の詳細な説明】
【技術分野】
【０００１】
本発明は、一つ又は二つのシャッタ羽根を備えているカメラ用フォーカルプレンシャッタ、及びそれを備えたカメラに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根，後羽根と称されている二つのシャッタ羽根を個別に配置するようにしたものと、シャッタ地板と補助地板との間に構成された羽根室に、一つのシャッタ羽根を配置するようにしたものとが知られている。
【０００３】
また、いずれのフォーカルプレンシャッタの場合でも、シャッタ羽根の構成は略同じであり、長さ方向の一端をシャッタ地板に対して回転可能に取り付けた複数のアームと、それらのアームに枢支された少なくとも１枚の羽根部材とで構成されている。そして、このように構成されたシャッタ羽根は、シャッタ地板に取り付けられていて所定の角度だけ往復回転する駆動部材に連動して作動させられるようになっているが、その駆動部材はシャッタ地板の羽根室外の面に取り付けられているため、シャッタ地板には貫通孔が形成されていて、駆動部材に設けられた駆動ピンがその貫通孔に挿入され、羽根室内で上記の複数のアームの一つに連結されている。そして、その貫通孔は、駆動ピンが駆動部材の回転軸を中心にして往復作動することから、通常は略円弧状をした長孔として形成されている。
【０００４】
ところで、シャッタ地板の羽根室外の面には、上記した駆動部材のほかにも各種の構成部材が沢山取り付けられているが、それらの殆どは、比較的上記の長孔の近傍位置に取り付けられている。また、それらの部材は、セット作動時や露光作動時において回転などをする作動部材であったり、それらの作動部材と摺接する部材であったり、それらの作動部材によって当接される部材であったりするため、長孔の付近ではシャッタの作動の都度、それらの摺接や当接によって、微細な磨耗粉が発生する。また、シャッタ機構以外のカメラ構成部材（例えば、ミラー駆動機構）から発生した磨耗粉や外部からカメラ内に進入してきたゴミなども、長孔の近傍に飛来してくるものがある。
【０００５】
このようにして、長孔の近傍で発生したり、長孔の近傍に飛来してきた磨耗粉などは、長孔から羽根室内に進入し、フィルム面や固体撮像素子面などに付着するようになる。そして、フィルムや固体撮像素子の表面に所定量以上付着した場合には、好適な撮影結果が得られず、拡大して再現したときには、その不具合さが画像の一部に顕在化されてしまうことになる。特に、デジタルカメラの場合には、フィルム式カメラの場合とは異なり、固体撮像素子がカメラ内に固定されているため、磨耗粉が数十ミクロン程度の極めて微細なものであっても、シャッタの使用回数が増えるに従い磨耗粉が蓄積されていくことになるので問題となる。そのため、固体撮像素子の表面をクリーニングしたり、磨耗粉が固体撮像素子に付着しにくくしたりするための工夫が行われてきた。このような工夫のうち、磨耗粉が固体撮像素子に付着しにくくするために、磨耗粉の羽根室への進入を防ぐことの可能な構成が、特許文献１に記載されている。
【０００６】
特許文献１に記載のカメラ用フォーカルプレンシャッタは、シャッタ地板１に形成されている長孔１ｂ，１ｃの周囲に、羽根室側とは反対側の面に突き出すようにして、壁１ｆ，１ｇが形成している。そして、該壁１ｆ，１ｇの周囲に形成されている溝１ｈ，１ｉに、粘着シート７，８を貼付している。このように構成することにより、磨耗粉がシャッタ地板１の長孔１ｂ，１ｃを通って羽根室に進入することを防止している。
【先行技術文献】
【特許文献】
【０００７】
【特許文献１】特開２００３−２７０７００号公報
【発明の概要】
【発明が解決しようとする課題】
【０００８】
近年では、固体撮像素子の性能が向上し、画素数が増加してきている。そして、それに伴い、上記のような磨耗粉の付着の問題がより一層大きくなってきている。画素数が増加すれば、固体撮像素子の一画素辺りのサイズが小さくなり、画質に影響を与えるような磨耗粉のサイズもまた小さくなるからである。そのため、これまで以上に、羽根室内への磨耗粉の進入を防止する必要がある。
【０００９】
本発明は、これらの問題点を解決するためになされたものであり、その目的とするところは、羽根室内への磨耗粉の進入を従来よりも好適に防止することができるカメラ用フォーカルプレンシャッタを提供することである。
【課題を解決するための手段】
【００１０】
上記の目的を達成するために、本発明のカメラ用フォーカルプレンシャッタは、
被写体光路用の開口部を有しているシャッタ地板と、
被写体光路用の開口部を有していて、前記シャッタ地板と所定の間隔を空けて取り付けられて羽根室を構成している補助地板と、
複数のアームとそれらのアームに枢支された少なくとも一枚の羽根部材とで構成されていて、前記羽根室内に立設されている複数の軸に対してそれらのアームの一端を回転可能に取り付けられて、前記シャッタ地板に形成されている長孔を通して羽根室内まで挿通されている駆動ピンを該アームに嵌合させているシャッタ羽根と、を備えていて、
前記複数のアームには、前記シャッタ地板側の面のうち少なくとも前記長孔と対向し得る箇所に、表面に粘着性を有する粘着手段が設けられているようにする。
【００１１】
その場合、本発明のカメラ用フォーカルプレンシャッタは、
複数のアームとそれらのアームに枢支された少なくとも一枚の羽根部材とで構成されていて、前記羽根室内において前記シャッタ羽根よりも前記補助地板側に配置されており、前記羽根室内に立設されている複数の軸に対してそれらのアームの一端を回転可能に取り付けられている第２のシャッタ羽根と、を備えていて、
前記第２のシャッタ羽根の複数のアームには、表面に粘着性を有する第２の粘着手段が設けられているようにしてもよい。
【００１２】
また、その場合、本発明のカメラ用フォーカルプレンシャッタは、前記シャッタ地板の羽根室側とは反対側の面の開口部の周囲には、表面に粘着性を有する第３の粘着手段が設けられているようにしてもよい。
【００１３】
また、本発明のカメラは、上記のいずれかのカメラ用フォーカルプレンシャッタを備えているようにする。
【発明の効果】
【００１４】
本発明によれば、カメラ用フォーカルプレンシャッタのシャッタ羽根の複数のアームのシャッタ地板側の面に対して、シャッタ地板の長孔と対向し得る箇所に、表面に粘着性を有する粘着手段が設けられているようにしたので、長孔から羽根室内に進入しようとする磨耗粉を好適に防止することが可能になる。
【図面の簡単な説明】
【００１５】
【図１】本発明の実施例を被写体側から視たときの平面図であって、セット状態を示したものである。
【図２】（ａ）本発明の実施例の先羽根及び後羽根を、被写体側から視た図である。（ｂ）本発明の実施例のシャッタ地板を、被写体側から視た図である。
【図３】本発明の実施例を被写体側から視たときの平面図であって、露光作動終了状態を示したものである。
【発明を実施するための形態】
【００１６】
本発明を実施するための形態を、図面を用いて詳細に説明する。図１，３は、本発明のカメラ用フォーカルプレンシャッタを被写体側から視たときの平面図である。また、図２（ａ）は、本発明の実施例の先羽根及び後羽根を被写体側から視た図であり、図２（ｂ）は、本発明の実施例のシャッタ地板を被写体側から視た図である。以下の説明では、シャッタ地板の被写体側のことを表面側といい、撮像素子側のことを背面側という。
【００１７】
まず、図１，２を用いて、実施例の構成の説明をする。図１において、シャッタ地板１には、長方形の開口部１ａが形成されている。また、シャッタ地板１の背面側には、所定の間隔を空けて、適宜な手段によって、中間板とカバー板が順に取り付けられており、シャッタ地板１と中間板との間に後羽根の羽根室を構成し、中間板とカバー板との間に先羽根の羽根室を構成しているが、図１，３においては、中間板及びカバー板の図示を省略している。そして、固体撮像素子は、補助地板よりも更に背面側において、図示していないカメラ本体に取り付けられている。
【００１８】
図１において、開口部１ａの左側には、円弧状の二つの長孔１ｂ，１ｃが貫通孔として形成されており、それらの下方端には、平面形状がＣ字状をした周知のブチルゴム製の緩衝部材２，３が取り付けられている。シャッタ地板１の背面側には軸１ｄ，ｅ，ｆ，ｇが立設されている。更に、周知であるため図示していないが、開口部１ａの左側の領域において、シャッタ地板１の表面側に複数の軸が立設されており、それらの先端には、支持板と印刷配線板が、支持板をシャッタ地板１側にして重合され、シャッタ地板１と平行になるようにして取り付けられている。そして、支持板のシャッタ地板１側には、周知の先羽根用電磁石と後羽根用電磁石とが取り付けられていて、それぞれの電磁石は鉄心を有しているが、これらの電磁石及び鉄心についても図示を省略している。
【００１９】
シャッタ地板１の表面側には、図示していない先羽根用駆動部材及び後羽根用駆動部材が回転可能に取り付けられている。図１，３においては、先羽根用駆動部材の駆動ピン４及び後羽根用駆動部材の駆動ピン５だけを図示している。これらの駆動部材は、それぞれの駆動ピン４，５を長孔１ｂ，１ｃを通して羽根室内まで挿通させていて、先羽根及び後羽根のアームに嵌合させており、図示していない駆動ばねの付勢力に従って駆動部材が回転させられると先羽根及び後羽根が露光開口を開閉するようになっている。また、これらの駆動部材は、それぞれ周知の鉄片部材を有していて、露光作動開始の直前に、それぞれの鉄片部材を先羽根用電磁石と後羽根用電磁石に吸着される。
【００２０】
シャッタ地板１の背面側に立設されている軸１ｄ，１ｅには、先羽根用アーム６，７が回転可能に取り付けられている。そして、先羽根用アーム６，７には、羽根部材８，９，１０が周知の鋲部材によって取り付けられていて、先羽根を構成している。このうち、最も先羽根用アーム６，７の先端側に取り付けられている羽根部材１０が先羽根のスリット形成羽根である。この先羽根は、上記のように中間板とカバー板との間に構成されている先羽根の羽根室内に配置されている。この先羽根用アーム６には、孔６ａが形成されていて、孔６ａには先羽根用駆動部材の駆動ピン４が挿入されている。なお、本実施例では、三枚の羽根部材を先羽根用アーム６，７に取り付けているが、これらの羽根部材は少なくとも一枚あればよい。
【００２１】
シャッタ地板１の背面側に立設されている軸１ｆ，１ｇには、後羽根用アーム１１，１２が回転可能に取り付けられている。そして、後羽根用アーム１１，１２には、羽根部材１３，１４，１５が周知の鋲部材によって取り付けられていて、後羽根を構成している。このうち、最も後羽根用アーム１１，１２の先端側に取り付けられている羽根部材１４が後羽根のスリット形成羽根である。この後羽根は、上記のようにシャッタ地板１と中間板との間に構成されている後羽根の羽根室内に配置されている。この後羽根用アーム１２には、孔１２ａが形成されていて、孔１２ａには後羽根用駆動部材の駆動ピン５が挿入されている。なお、本実施例では、三枚の羽根部材を後羽根用アーム１１，１２に取り付けているが、これらの羽根部材は少なくとも一枚あればよい。
【００２２】
ここで、図２を用いて、先羽根用アーム６，７及び後羽根用アーム１１，１２とシャッタ地板１の説明をする。図２の（ａ）に示しているように、先羽根用アーム６，７には、その補助地板側の面のうち、露光作動をするときにシャッタ地板１の開口部１ａにかかる部分（アームの先端部）以外の部分にだけ粘着性塗料１６を塗布している。同様に、後羽根用アーム１１，１２には、そのシャッタ地板１側の面のうち、露光作動をするときにシャッタ地板１の開口部１ａにかかる部分（アームの先端部）以外の部分にだけ粘着性塗料１７を塗布している。また、図２の（ｂ）に示しているように、シャッタ地板１には、その表面側の開口部１ａの周囲に、粘着性塗料１８を塗布している。これらの粘着性塗料１６〜１８が塗布されている領域を図１〜３においてハッチングで示してある。
【００２３】
次に、本実施例の作動を図１，３を用いて説明する。図１はセット状態を示したものである。この状態では、先羽根は展開して露光開口を覆っており、後羽根はシャッタ地板１の情報で重畳して収容されている。この状態からレリーズボタンが押されると、まず図示していない先羽根用電磁石と後羽根用電磁石に通電され、先羽根用駆動部材と後羽根用駆動部材に取り付けられている鉄片部材が各電磁石に吸着される。
【００２４】
そして、露光作動の開始時には、まず先羽根用電磁石に対する通電が断たれて、所定時間後に後羽根用電磁石に対する通電が断たれる。そこで、先ず、先羽根用電磁石に対する通電が断たれると、先羽根用駆動部材の鉄片部材に対する吸引力が失われて、先羽根用駆動部材が、図示していない先羽根用駆動ばねの付勢力によって、図１における時計方向へ急速に回転させられる。そのため、駆動ピン４がアーム６を図１における時計方向へ回転させるので、先羽根の３枚の羽根部材８，９，１０は相互の重なり量を大きくしつつ下方へ移動し、スリット形成羽根１０の上端縁によって開口部１ａを開放していく。次に、後羽根用電磁石に対する通電が断たれて吸引力が失われると、後羽根用駆動部材は、図示していない後羽根用駆動ばねの付勢力によって、図１における時計方向へ急速に回転させられる。それによって、駆動ピン５がアーム１２を図１における時計方向へ回転させるので、後羽根の３枚の羽根部材１３，１４，１５は、相互の重なり量を小さくしつつ下方へ移動し、スリット形成羽根１５の下端縁によって開口部１ａを覆っていく。そして、最終的に、先羽根用駆動部材の駆動ピン４が緩衝部材２に当接し、後羽根用駆動部材の駆動ピン５が緩衝部材３に当接する。このようにして、露光作動が終了した状態を図３に示す。
【００２５】
上記のようにして露光作動が終了すると、図示していないセット部材によりセット作動が行われる。図示していないセット部材が回転させられると、まずセット部材が先羽根用駆動部材を押し、先羽根用駆動部材は先羽根用駆動ばねの付勢力に抗して図３における反時計方向へ回転させられる。そのため、アーム６は駆動ピン４により図３における反時計方向へ回転させられ、先羽根の３枚の羽根部材８，９，１０は、相互の重なりを小さくしながら上方へ移動していく。そして、先羽根のスリット形成羽根１０が後羽根のスリット形成羽根１５に所定量だけ重なると、その段階からは、セット部材が後羽根用駆動部材を押し、後羽根用駆動部材は後羽根用駆動ばねの付勢力に抗して図３における反時計方向へ回転させられる。そのため、アーム１２は駆動ピン５により図３における反時計方向へ回転させられ、後羽根の３枚の羽根部材１３，１４，１５は、相互の重なりを大きくしながら上方へ移動していく。
【００２６】
そして、先羽根用駆動部材と後羽根用駆動部材は、各々の駆動ばねの付勢力に抗して反時計方向へ回転させられていくが、セット部材の回転は、後羽根の３枚の羽根部材１３，１４，１５が重畳されて開口部１ａの上方位置へ格納されると共に、先羽根の３枚の羽根部材８，９，１０が展開されて開口部１ａを完全に覆い、各々の駆動部材の鉄片部材が先羽根用電磁石と後羽根用電磁石の鉄心に接触した段階で、停止させられる。このようにして、セット作動が終了し、図１に示された状態に戻る。
【００２７】
ところで、上記のような露光作動及びセット作動を繰り返す過程で、様々な部材が機械的な作動を行っている。そのため、作動の度に、それらの部材から微細な磨耗粉が発生している。これらの部材は、上記のように、シャッタ地板１の表面側、すなわち羽根室とは反対側の面に取り付けられているため、磨耗粉はその大部分が羽根室外から羽根室内を通って固体撮像素子の表面に付着することになる。羽根室外から羽根室内へ磨耗粉が進入する主な経路としては、シャッタ地板１に形成されている開口部１ａや長孔１ｂ，１ｃが挙げられる。
【００２８】
上記の実施例においては、シャッタ地板１と中間板との間の羽根室に配置されている後羽根用アーム１１，１２のシャッタ地板１側の面に対して、長孔１ｃと対向し得る箇所に、粘着性塗料１７を塗布している。そのため、長孔１ｃから進入しようとする磨耗粉は、粘着性塗料１７を塗布した箇所に捕獲され、磨耗粉の羽根室内への進入を従来よりも好適に防止することが可能になっている。
【００２９】
また、上記の実施例においては、シャッタ地板１の羽根室とは反対側の面において、開口部１ａの周囲に粘着性塗料１８を塗布している。そのため、開口部１ａから進入しようとする磨耗粉は、粘着性塗料１８を塗布した箇所に捕獲され、磨耗粉の羽根室内への進入を従来よりも好適に防止することが可能になっている。
【００３０】
なお、上記の実施例においては、中間板と補助地板との間の羽根室に配置されている先羽根用アーム６，７には、その補助地板側の面に粘着性塗料１６を塗布している。そのため、先羽根用アーム６，７の粘着性塗料１６を塗布した面は、後羽根用アーム１１，１２のように、長孔１ｂを通って羽根室内に進入する磨耗粉を直接的に捕獲するわけではない。しかし、磨耗粉は、その大部分が羽根室外で発生するが、羽根室内においても、シャッタ羽根の作動に伴って摺接する箇所から磨耗粉が発生することがある。先羽根用アーム６，７の粘着性塗料１６を塗布した面は、このように羽根室内で発生した磨耗粉に対しても、好適に捕獲することが可能になっている。更に、先羽根用アーム６，７の粘着性塗料１６を塗布した面は、開口部１ｂから羽根室内に進入して羽根室内に滞留している磨耗粉も好適に捕獲することが可能になっている。
【００３１】
なお、上記の実施例において、先羽根用アーム６，７がその補助地板側の面に粘着性塗料１６を塗布しているのは、作成したシャッタ羽根を反転させて配置して先羽根及び後羽根として用いていることによる。このようにすることで、工数を削減し、製作コストを低減することができる。しかし、先羽根と後羽根を別々に作成し、先羽根用アーム６，７も、後羽根用アーム１１，１２と同様に、そのシャッタ地板１側の面の長孔１ｂと対向し得る箇所に粘着性塗料１６を塗布するようにしてもよい。このようにすれば、後羽根用アーム１１，１２と同様に、先羽根用アーム６，７の粘着性塗料１６を塗布した面が、開口部１ｂから羽根室内に進入しようとする磨耗粉を好適に捕獲できるようになる。
【００３２】
上記の実施例では、後羽根用アーム１１，１２と先羽根用アーム６，７とシャッタ地板１にそれぞれ粘着性塗料を塗布したものとして説明した。しかし、これらのうち、先羽根用アーム６，７とシャッタ地板１は、粘着性塗料を塗布しないようにしてもよい。すなわち、本発明においては、シャッタ地板側に配置されているシャッタ羽根のアームのシャッタ地板側の面のうち、シャッタ地板の長孔と対向し得る箇所に粘着性塗料を塗布することで、最大の効果を得ることができるので、後羽根用アーム１１，１２のシャッタ地板１側の面のうち長孔１ｃと対向し得る箇所にだけ粘着性塗料１７を塗布し、後羽根用アーム１１，１２のシャッタ地板１側の面のうち長孔１ｃと対向し得ない箇所には粘着性塗料１７を塗布しないようにするとともに、先羽根用アーム６，７にもシャッタ地板１にも粘着性塗料を塗布しないようにしてもよい。
【００３３】
上記の実施例では、先羽根及び後羽根を備えたカメラ用フォーカルプレンシャッタに本発明を適用したものとして説明をした。しかし、本発明は、一つのシャッタ羽根を備えたカメラ用フォーカルプレンシャッタにも適用することができる。その場合には、上記の実施例における先羽根を構成する先羽根用アーム６，７及び羽根部材８，９，１０と、先羽根用駆動部材等の先羽根を駆動させるのに必要な部材と、中間板を取り除けばよい。
【００３４】
上記の実施例では、後羽根用アーム１１，１２と先羽根用アーム６，７とシャッタ地板１にそれぞれ粘着性塗料を塗布したものとして説明した。しかし、本発明においては、粘着性塗料を塗布する代わりに粘着テープを貼付するようにしてもよい。これらの粘着性塗料も粘着テープもいずれも本発明における粘着手段である。
【００３５】
また、本発明のカメラは、上記のいずれかのカメラ用フォーカルプレンシャッタを備えている。
【符号の説明】
【００３６】
１                              シャッタ地板
１ａ                            開口部
１ｂ，１ｃ                      長孔
２，３                          緩衝部材
４，５                          駆動ピン
６，７                          先羽根用アーム
８，９，１０，１３，１４，１５  羽根部材
１１，１２                      後羽根用アーム
１６，１７，１８                粘着性塗料
【図１】
2015210494.tif 000003
【図２】
2015210494.tif 000004
【図３】
2015210494.tif 000005